(57)【要約】【課題】表示装置の筐体を補強するための補強部材を他の用途に併用する。【解決手段】ディスプレイ本体は、画像を表示し、補強部材は、ディスプレイ本体の、画像を表示する面の背面に固定され、ディスプレイ本体を補強する。リアカバーは、補強部材を露出させた状態で、ディスプレイ本体の背面を覆う。なお、補強部材は、ディスプレイ本体の背面に接続された接続部材を介して、ディスプレイ本体の背面に固定することができる。本開示は、例えば、液晶ディスプレイやプラズマディスプレイ等のような画像を表示する表示装置に適用することができる。【選択図】図８
2014048381.tif 000002
【特許請求の範囲】
【請求項１】
画像を表示するディスプレイ本体と、
前記ディスプレイ本体の背面に固定され、前記ディスプレイ本体を補強する補強部材と、
前記補強部材を露出させた状態で、前記ディスプレイ本体の背面を覆うリアカバーと
を含む表示装置。
【請求項２】
前記リアカバーは、少なくとも前記補強部材の一部を、いずれの部材も接触させずに露出させた状態で、前記ディスプレイ本体の背面を覆う
請求項１に記載の表示装置。
【請求項３】
前記ディスプレイ本体の背面に接続された接続部材をさらに含み、
前記補強部材は、前記接続部材を介して、前記ディスプレイ本体の背面に固定される
請求項２に記載の表示装置。
【請求項４】
前記リアカバーは、前記補強部材を露出させた状態で、前記ディスプレイ本体の背面に設けられた前記接続部材を覆う
請求項３に記載の表示装置。
【請求項５】
前記補強部材は、分解可能な複数の部材により構成される
請求項４に記載の表示装置。
【請求項６】
前記補強部材は、金属により形成されている
請求項５に記載の表示装置。
【発明の詳細な説明】
【技術分野】
【０００１】
本開示は、表示装置に関し、特に、例えば、筐体の強度を補強するための補強部材を他の用途に併用できるようにした表示装置に関する。
【背景技術】
【０００２】
例えばテレビジョン受像機等の背面に設けられるリアカバーは、プラスチックや板金等を用いて製造されるものが主流となっている。
【０００３】
また、従来のテレビジョン受像機においては、テレビジョン受像機の薄型化及び大型化が進んでいるため、筐体の強度不足が問題となっていた。
【０００４】
そこで、テレビジョン受像機の背面とリアカバーの間に、補強部材を設けて、強度を補強する技術が存在する（例えば、特許文献１参照）。
【先行技術文献】
【特許文献】
【０００５】
【特許文献１】特開２００６−３９０６２号公報
【発明の概要】
【発明が解決しようとする課題】
【０００６】
従来のテレビジョン受像機では、補強部材により、強度不足を解消できるものの、補強部材がリアカバーにより覆われているため、補強部材を他の用途に併用することができなかった。
【０００７】
すなわち、例えば、従来のテレビジョン受像機では、テレビジョン受像機の持ち運び時に把持される取っ手等として、補強部材を用いることができない。
【０００８】
本開示は、このような状況に鑑みてなされたものであり、表示装置の筐体を補強するための補強部材を他の用途に併用できるようにするものである。
【課題を解決するための手段】
【０００９】
本開示の一側面の表示装置は、画像を表示するディスプレイ本体と、前記ディスプレイ本体の背面に固定され、前記ディスプレイ本体を補強する補強部材と、前記補強部材を露出させた状態で、前記ディスプレイ本体の背面を覆うリアカバーとを含む表示装置である。
【００１０】
前記リアカバーは、少なくとも前記補強部材の一部を、いずれの部材も接触させずに露出させた状態で、前記ディスプレイ本体の背面を覆うようにすることができる。
【００１１】
前記ディスプレイ本体の背面に接続された接続部材をさらに設け、前記補強部材は、前記接続部材を介して、前記ディスプレイ本体の背面に固定されるようにすることができる。
【００１２】
前記リアカバーは、前記補強部材を露出させた状態で、前記ディスプレイ本体の背面に設けられた前記接続部材を覆うようにすることができる。
【００１３】
前記補強部材は、分解可能な複数の部材により構成されるようにすることができる。
【００１４】
前記補強部材は、金属により形成されているようにすることができる。
本開示の一側面によれば、画像を表示するディスプレイ本体の背面に固定される補強部材により、前記ディスプレイ本体が補強され、前記補強部材が露出された状態で、前記ディスプレイ本体の背面がリアカバーにより覆われる。
【発明の効果】
【００１５】
本開示によれば、表示装置の筐体を補強するための補強部材を他の用途に併用することが可能となる。
【図面の簡単な説明】
【００１６】
【図１】本技術を適用したテレビジョン受像機の背面図である。
【図２】補強部材の一部を、取っ手として用いるときの一例を示す図である。
【図３】テレビジョン受像機をワイヤーで壁に固定したときの一例を示す図である。
【図４】ワイヤーが、取っ手に括り付けられたときの一例を示す図である。
【図５】補強部材の一例を示す図である。
【図６】補強部材の他の一例を示す図である。
【図７】テレビジョン受像機の背面部分の一部の外観例を示す図である。
【図８】テレビジョン受像機の一部分の断面図である。
【発明を実施するための形態】
【００１７】
以下、本開示における実施の形態（以下、本実施の形態という）について説明する。なお、説明は以下の順序で行う。
１．本実施の形態（補強部材を、補強の他、取っ手等として併用するときの一例）
２．変形例
【００１８】
＜１．本実施の形態＞
[テレビジョン受像機１の外観例]
図１は、本実施の形態であるテレビジョン受像機１の背面図を示している。
【００１９】
このテレビジョン受像機１は、主に、ディスプレイ本体２１、補強部材２２、リアカバー２３，２４a乃至２４c、及びスタンド２５から構成される。
【００２０】
ディスプレイ本体２１は、画像を表示するための表示モジュールを内蔵した筐体である。すなわち、例えば、ディスプレイ本体２１には、表示モジュールとして、バックライト及び液晶パネルが内蔵される。
【００２１】
なお、本実施の形態では、ディスプレイ本体２１には、表示モジュールとして、バックライト及び液晶パネルが内蔵されているものとして説明するが、ディスプレイ本体２１に内蔵される表示モジュールは、これに限定されない。
【００２２】
すなわち、例えば、ディスプレイ本体２１には、表示モジュールとして、プラズマディスプレイパネルや、有機EL(electroluminescence)パネル等が内蔵されるように構成することができる。
【００２３】
また、ディスプレイ本体２１において、画像を表示する表示面の背面(図１に示される面)には、その中央部分に、画像処理等を行う回路等が設けられている。この回路等は、リアカバー２３により覆われて保護される。
【００２４】
補強部材２２は、例えば、アルミニウム合金等の金属により形成された部材であり、ディスプレイ本体２１の背面に固定されることにより、ディスプレイ本体２１を補強する。この補強部材２２により、ディスプレイ本体２１のたわみや破損等を防止（抑制）することができる。
【００２５】
なお、補強部材２２は、アルミニウム合金等の金属により形成されるものとしたが、金属の種類は、アルミニウム合金に限定されない。また、補強部材２２は、金属とは異なる材料により形成されるようにしてもよい。
【００２６】
すなわち、補強部材２２は、ディスプレイ本体２１の剛性を向上させるものであれば、どのような材料から形成されるようにしてもよい。
【００２７】
さらに、補強部材２２は、図１に示されたように、ディスプレイ本体２１の全体を補強するように配置してもよいし、例えば、ディスプレイ本体２１のうち、比較的、たわみや破損等の生じやすい部分のみに、補強部材２２を配置してもよい。
【００２８】
すなわち、補強部材２２を配置する箇所は、図１に示されたような箇所に限定されず、任意の箇所とすることができる。
【００２９】
また、補強部材２２は、ディスプレイ本体２１を補強する他、他の用途にも用いることができる。このことは、図２乃至図４を参照して詳述する。
【００３０】
さらに、補強部材２２は、分解不可能な１の部材や、各部分を分解可能な部材を採用することもできる。このことは、図５及び図６を参照して詳述する。
【００３１】
また、補強部材２２は、リアカバー２３等を介さずに、直接に、ディスプレイ本体２１に接続されている。このことは、図７及び図８を参照して詳述する。
【００３２】
リアカバー２３は、ディスプレイ本体２１の背面のうち、中央部分に配置された回路等を覆うカバーである。
【００３３】
また、テレビジョン受像機１の背面には、補強部材２２を他の用途に用いることができるように、凹部２３L及び２３Rが設けられている。これにより、補強部材２２の一部２２L及び２２Rは、それぞれ、取っ手２２L及び２２Rとして併用することができる。
【００３４】
リアカバー２４a乃至２４cは、それぞれ、ディスプレイ本体２１の背面のうち、リアカバー２３には覆われていない部分（回路等が存在しない部分）を覆うカバーである。
【００３５】
すなわち、リアカバー２４aは、ディスプレイ本体２１の背面のうち、リアカバー２３の図中左側に存在する面を、リアカバー２４bは、リアカバー２３の図中上側に存在する面を、リアカバー２４cは、リアカバー２３の図中右側に存在する面を覆う。
【００３６】
なお、リアカバー２３，２４a乃至２４cは、図１に示されるように、補強部材２２を露出した状態で、ディスプレイ本体２１の背面を覆う。
【００３７】
スタンド２５は、ディスプレイ本体２１を支持する。なお、スタンド２５は、ディスプレイ本体２１から着脱可能に構成することができる。
【００３８】
[補強部材２２を取っ手２２Rとして用いるときの一例]
次に、図２は、補強部材２２の一部２２Rを、取っ手２２Rとして用いるときの一例を示している。
【００３９】
なお、補強部材２２の一部２２Lは、補強部材２２の一部２２Rと同様に、取っ手２２Lとして用いられる。このため、図２では、補強部材２２の一部２２Lについての説明を省略し、補強部材２２の一部２２Rのみを説明する。
【００４０】
また、リアカバー２３は、図２に示されるように、リアカバー２４a乃至２４cよりも高い位置で、ディスプレイ本体２１の背面を覆う。これは、リアカバー２３が、ディスプレイ本体２１の背面を直接に覆うリアカバー２４a乃至２４cとは異なり、回路等が設けられた、ディスプレイ本体２１の背面を覆うことによる。
【００４１】
補強部材２２において、図２に示されるように、凹部２３Rにより、いずれの部材にも接触しない補強部材２２の一部２２Rが、取っ手２２Rとして用いられる。
【００４２】
これにより、補強部材２２の一部２２Rを取っ手２２Rとして併用することにより、より容易に、テレビジョン受像機１を持ち運ぶことが可能となる。
【００４３】
[補強部材２２をワイヤー４１の取り付け部として用いるときの一例]
次に、図３は、テレビジョン受像機１を、ワイヤー４１などで壁に固定したときのテレビジョン受像機１の様子の一例を示している。
【００４４】
図３に示されるように、テレビジョン受像機１の取っ手２２L及び２２Rに括り付けられたワイヤー４１を、壁側に打ち付けられたリング状の固定器具４２に固定することにより、テレビジョン受像機１の転倒等を防止することができる。
【００４５】
次に、図４は、ワイヤー４１が、補強部材２２の一部である取っ手２２Rに括り付けられたときの一例を示している。
【００４６】
なお、図４において、図面が煩雑になるのを避けるため、図２に示した凹部２３R等を簡略化して図示するようにしている。
【００４７】
ワイヤー４１の一端は、図４に示されるように、取っ手２２Rに括り付けられる。そして、ワイヤー４１の他端は、リング状の固定器具４２（図３）により形成された輪を通った後に、もう一方の取っ手２２Lに括り付けられる。
【００４８】
なお、取っ手２２Lには、取っ手２２Rと同様にして、ワイヤー４１の他端が括り付けられる。このため、図４において、取っ手２２Lに、ワイヤー４１の他端を括り付けたときの様子の図示は省略している。
【００４９】
本実施の形態では、補強部材２２を、取っ手２２L及び２２R等として併用できるようにしたので、テレビジョン受像機１の薄さを維持しまま、デザイン性（意匠性）を損なう事無く、取っ手２２L及び２２Rを付加することができる。
【００５０】
また、本実施の形態では、例えば、取っ手２２L及び２２Rと、ディスプレイ本体２１の補強に用いる部材を別々に設ける場合と比較して、より少ない材料で、ディスプレイ本体２１の補強と、取っ手２２L及び２２Rの取り付けを行うことが可能となる。
【００５１】
[補強部材２２の一例]
次に、図５は、補強部材２２の一例を示している。
【００５２】
補強部材２２は、例えば、図５に示されるように、分解不可能な１の部材として形成される。
【００５３】
また、補強部材２２は、ディスプレイ本体２１に取り付けられる取り付け部２２a乃至２２oを有している。なお、取り付け部２２a乃至２２oの個数は、これに限定されず、任意の個数とすることができる。また、取り付け部２２a乃至２２oの位置も、任意に設定することができる。
【００５４】
また、取り付け部２２a乃至２２oの形状も、図５に示した形状に限定されず、ディスプレイ本体２１に取り付け可能な形状であれば、どのような形状であってもよい。
【００５５】
補強部材２２において、取り付け部２２a乃至２２oを、ディスプレイ本体２１に取り付ける方法は、図７及び図８を参照して詳述する。
【００５６】
なお、補強部材２２は、図５に示されるように、分解不可能な１の部材として形成するようにしてもよいし、図６に示されるように、複数の部位に分解できるように形成することができる。
【００５７】
次に、図７は、図１のテレビジョン受像機１の右上部分の詳細な外観例を示している。
【００５８】
ネジ６１，６２，６３は、それぞれ、リアカバー２３，２４b，２４cを、ディスプレイ本体２１に固定する。また、ネジ６４は、リアカバー２４cをディスプレイ本体２１に固定する。
【００５９】
次に、図８は、図７に示したテレビジョン受像機１の断面図を示している。
【００６０】
補強部材２２は、図８に示されるように、例えば、L字状の取り付け部２２mを有しており、取り付け部２２mは、接続部材８１（斜線で示す）を介して、ディスプレイ本体２１の背面に固定される。
【００６１】
接続部材８１は、ディスプレイ本体２１の背面に接続されるとともに、ネジ８２により、補強部材２２の取り付け部２２mと接続される。これにより、補強部材２２は、取り付け部２２mに接続された接続部材８１を介して、ディスプレイ本体２１の背面に固定される。
【００６２】
なお、接続部材８１は、補強部材２２とは別の部材とする他、接続部材８１を、補強部材２２の一部として、一体的に形成することができる。
【００６３】
また、接続部材８１は、ネジ６１により、リアカバー２３と接続される。これにより、リアカバー２３は、接続部材８１を介して、ディスプレイ本体２１の背面に固定される。また、リアカバー２３は、補強部材２２を露出させた状態で、ディスプレイ本体２１の背面に設けられた接続部材８１を覆う。
【００６４】
リアカバー２４cは、ネジ６２により、ディスプレイ本体２１に固定される。また、図８では図示していないが、リアカバー２４a及び２４bについても同様にして、ディスプレイ本体２１に固定される。さらに、リアカバー２４cは、補強部材２２を露出させた状態で、ディスプレイ本体２１の背面に設けられた接続部材８１を覆う。このことは、リアカバー２４a及び２４bについても同様である。
【００６５】
＜２．変形例＞
本実施の形態では、液晶パネルや、プラズマディスプレイパネル、有機ELパネル等を有するテレビジョン受像機１について説明したが、本技術は、画像を表示する表示装置であれば、どのような装置にも適用することができる。
【００６６】
ところで、本技術は、以下の構成をとることができる。
（１）画像を表示するディスプレイ本体と、前記ディスプレイ本体の背面に固定され、前記ディスプレイ本体を補強する補強部材と、前記補強部材を露出させた状態で、前記ディスプレイ本体の背面を覆うリアカバーとを含む表示装置。
（２）前記リアカバーは、少なくとも前記補強部材の一部を、いずれの部材も接触させずに露出させた状態で、前記ディスプレイ本体の背面を覆う前記（１）に記載の表示装置。
（３）前記ディスプレイ本体の背面に接続された接続部材をさらに含み、前記補強部材は、前記接続部材を介して、前記ディスプレイ本体の背面に固定される前記（１）又は（２）に記載の表示装置。
（４）前記リアカバーは、前記補強部材を露出させた状態で、前記ディスプレイ本体の背面に設けられた前記接続部材を覆う前記（３）に記載の表示装置。
（５）前記補強部材は、分解可能な複数の部材により構成される前記（１）乃至（４）に記載の表示装置。
（６）前記補強部材は、金属により形成されている前記（１）乃至（５）に記載の表示装置。
【００６７】
なお、本開示は、上述した本実施の形態に限定されるものではなく、本開示の要旨を逸脱しない範囲において種々の変更が可能である。
【符号の説明】
【００６８】
１  テレビジョン受像機,  ２１  ディスプレイ本体,  ２２  補強部材,  ２２L,２２R  取っ手,  ２２a乃至２２o  取り付け部,  ２３,２４a乃至２４c  リアカバー,  ２３L,２３R  凹部,  ２５  スタンド,  ４１  ワイヤー,  ４２  固定器具,  ６１乃至６４  ネジ,  ８１  接続部材,  ８２  ネジ
【図１】
2014048381.tif 000003
【図２】
2014048381.tif 000004
【図３】
2014048381.tif 000005
【図４】
2014048381.tif 000006
【図５】
2014048381.tif 000007
【図６】
2014048381.tif 000008
【図７】
2014048381.tif 000009
【図８】
2014048381.tif 000010